(57)【要約】【課題】  瓦を葺いた後でも、容易に瓦に取り付けることが出来る雪留金具を提供すること。【解決手段】  瓦Ａの上面の頭尻方向に載置されるフレーム２と、該フレーム２の尻部側の端部に一端が固定されて他端が瓦Ａの尻部に引掛かる戻り係止付きの瓦尻部引掛片３と、前記フレーム２の頭部側に上方向に固定された雪留板４と、前記フレーム２の頭部側端部に下方向に固定されてその先端が瓦Ａの頭部の下方に引掛かる瓦頭部引掛片５と、を具備すること。【選択図】  図１
2008025185.tif 000002
【特許請求の範囲】
【請求項１】
瓦の上面の頭尻方向に載置されるフレームと、
該フレームの尻部側の端部に一端が固定されて他端が瓦の尻部に引掛かる戻り係止付きの瓦尻部引掛片と、
前記フレームの頭部側に上方向に固定された雪留板と、
前記フレームの頭部側端部に下方向に固定されてその先端が瓦の頭部の下方に引掛かる瓦頭部引掛片と、
を具備することを特徴とする雪留金具。
【請求項２】
前記フレームの尻部側に瓦の尻部側端面に係止するストッパーを設けた請求項１記載の雪留金具。
【請求項３】
前記フレームの頭部側が上方へ曲折していることを特徴とする請求項１乃至２に記載の雪留金具。
【請求項４】
前記フレームが頭尻方向に長さ調整自在であることを特徴とする請求項１乃至３に記載の雪留金具。
【発明の詳細な説明】
【技術分野】
【０００１】
この発明は、瓦屋根における積雪の滑り落下防止を図るために、簡単に後付けできる雪留金具に関する。
【背景技術】
【０００２】
従来の雪留金具１００の基本構成は、図９に示すように、基板２００の頭部端に雪止片３００起立形成すると共に、基板２００の尻部端を下方に段落ち形成して瓦と係止する取付片部４００を設けた構成である。この雪留金具１００を使用する際には、屋根を葺く施工の時に、任意のある瓦の尻部端に取付片部４００を係止すると共に、その釘孔５００に釘などを打ち込んで、野地板と固定し、この雪留金具１００を固定した瓦の尻部端上側に、他の瓦を重ね載せて順次葺いて行き、雪留金具１００を取付けるものである（例えば、特許文献１）。
【特許文献１】特開２００１−２７９８９１号公報（［０００３］［００３８］等）
【発明の開示】
【発明が解決しようとする課題】
【０００３】
しかしながら、上記の従来の瓦留め金具１００は、屋根瓦施工時に任意のある瓦の上に基板２００を載せて、取付片部４００を係止させると共に野地板に釘孔５００から釘を打ち込んで釘止めしてゆく構成であるので、屋根瓦の施工が終了した後にこの雪留金具１００を取付ける必要が生じた場合には、その都度、任意の取付けする瓦の上方に重ね載せる瓦を一旦取り除いて施工しなければならない。しかし、瓦は傾斜方向に滑り落ちたり、風や地震の震動によって吹き飛んだり位置ズレを生じないように野地板に釘止めされているため、一旦葺かれた瓦は取外し作業が困難であるという問題点がある。又、取り外した瓦を再び野地板に取付け施工する作業も困難であるという問題点がある。  
【課題を解決するための手段】
【０００４】
この発明は上記事情に鑑みて、すでに瓦が敷設されている場合でも容易に取付けできる雪留金具を提供することを目的としてなされたものであって、その手段とするところは、瓦の上面の頭尻方向に載置されるフレームと、該フレームの尻部側の端部に一端が固定されて他端が瓦の尻部に引掛かる戻り係止付きの瓦尻部引掛片と、前記フレームの頭部側に上方向に固定された雪留板と、前記フレームの頭部側端部に下方向に固定されてその先端が瓦の頭部の下方に引掛かる瓦頭部引掛片と、を具備することにある。又、前記フレームの尻部側に瓦の尻部側端面に係止するストッパーを設けたことにある。更に又、前記フレームの頭部側が上方へ曲折していることにある。又、前記フレームが頭尻方向に長さ調整自在であることにある。
【発明の効果】
【０００５】
請求項１の発明によると、瓦屋根施工後において雪留金具を設置する場合でも、雪留金具を設置予定の瓦の上面にそのフレームを載せて、尻部側の上側に重ね載っている瓦の隙間に雪留金具の尻部側の端部に固定されている戻り係止付きの瓦尻部引掛片を挿入するだけでよいので、従来の雪留金具と較べて作業が極めて簡単である。又、フレームの頭部側端部には瓦頭部引掛片があり、これが瓦の頭部側端に引掛かっているので、頭部側端が上方へ持ち上ることなく安定する。これによって、屋根瓦面に積った雪は雪止板によって確実に滑り落ちることなく係止される。又、前述の瓦屋根施工後のみならず、瓦を葺く際にもこの雪留金具を取付けることもできる。
【０００６】
請求項２の発明によると、瓦の尻部側端面に係止するストッパーを別途設けたので、雪留板に多くの雪が積ったり、雪の固まりが滑り落ちる際に衝突した時でも外れることがなく確実に係止できる。
【０００７】
請求項３の発明によると、フレームの頭部側が上方へ曲折しているので、瓦頭部引掛片を瓦の頭部側に引掛ける時に、雪止板の上方を押えて瓦の頭部側の下方へ入るようにする作業が簡単になる。
【０００８】
請求項４の発明によると、フレームの長さが頭尻方向に調節できるので、１つの雪留金具が種々のサイズの異なる瓦にも対応できる。
【発明を実施するための最良の形態】
【０００９】
この発明の実施形態について図１乃至８に基づいて説明する。この発明の実施形態の雪留金具１は、屋根に敷設された瓦Aの上面の頭尻方向に載置されるフレーム２と、該フレーム２の尻部側の端部に固定されて瓦Aの尻部Bに引掛かる戻り係止付きの瓦尻部引掛片３と、前記フレーム２の頭部側に上方向に固定された雪留板４と、前記フレーム２の頭部側端部に下方向に固定されてその先端が瓦Aの頭部Cの下方に引掛かる瓦頭部引掛片５と、を具備してなるものである。これらフレーム２、瓦尻部引掛片３、雪留板４及び瓦頭部引掛片５は金属製板、とくに錆にくいステンレス板が好適である。
【００１０】
前記フレーム２は、図１、図２によく現れているように、瓦Aの頭尻方向に長尺な部材からなる。そして、頭部側が上方へ少しの角度をもって曲折していると共に、この曲折部分と直線部分の境目S付近には中央部分が一部隆起した補強リブ６を形成し強度補強している。この上方への曲折部分があれば多少のバネ作用が働くことによって瓦の頭部端部に引掛けた前記瓦頭部引掛片５が外れにくくなる利点があるが、とくに必要なものではなく直線状のフレーム２であってもよい。又、このフレーム２は、図示していないが、頭部C側と尻部B側とが分離して構成されて相互にスライド固定自在に連結されることによって、瓦Aの大きさに応じてその全体長さが調節できる構成としておけば、種々のサイズの瓦Aに適用することができて汎用性を有するものとなる。
【００１１】
前記瓦尻部引掛片３は、フレーム２の尻部側の端部にビスZ等によってその尻部側の一端が固定されて頭部側の他端がフリーとなって、フレーム２が瓦Aの表面に沿って滑り落ちないように尻部裏面又はその端部にそのフリーとなっている端部が引掛かるようになっている。この瓦尻部引掛片５はビスZ等によって固定されているフレーム２の尻部側端と共に２枚の瓦Aが重なってできている僅かな隙間Dから差し込んで挿入し、差し込み終了後はフリーとなっている頭部側端が開いてそのフリーの先端が瓦Aの尻部側裏面若しくはその端部に引掛かるのである。従って、この瓦尻部引掛片５は、フリーの頭部側が開く方向すなわちフレーム２から離れる方向に付勢するように加工しておくことが望ましい。そのために、瓦尻部引掛片５としてはある程度の弾力性を有するステンレス等からなる金属製の部材の頭部側の他端のフリーとなる側をフレーム２と反対側へ湾曲させておき、尻部側の一端をフレーム２の尻部側端にビスZ等で固定している。これによって、瓦尻部引掛片５は２枚の瓦Aが重なり合って出来る狭い隙間Dに挿入された時にはフリーとなっている頭部側がフレーム２と重なる方向へ折曲し、フリーとなっている頭部側が隙間Dを抜け出るとその弾性力で元の状態に戻りフレーム２から離れて瓦Aの尻部Bの裏面や端面と係止できることとなる。このように、瓦尻部引掛片５は、戻り係止付となっている。
【００１２】
しかし、万一、大量の積雪の滑り落ちのような大きな力が瞬時に作用する場合には、この瓦尻部引掛片５ではそれを阻止できなくなる恐れがあるので、先端に矢じりのような鉤部あるいは堅固な金属製の突起などからなるストッパー７を設けておくのが好ましい。このストッパー７の取付けは、前記ビスZ等によって瓦部引掛片３と共にフレーム２の尻部側端に固定した構造としたものであってもよいが、他の構成によるものであってもよい。
【００１３】
前記雪留板４は、フレーム２の直線部分に対してほぼ直角方向上向きに固定されたステンレス等からなる金属製の板状部材であって、瓦Aの上面の雪を滑り落ちないように係止するためのものである。この雪留板４の下端には、瓦Aの表面に当接する当接片8が形成されている。これによって、雪留板４が雪の重みや取付時の押圧力によって下方への力が作用した時でも、沈み込まないようになっている。この雪留板４の大きさや外形状はとくに限定されるものではないが、大きすぎると雪の重みや滑走力が大きくなってフレーム２を軒先方向へ押す力が大きくなるので、最適の大きさが選択されている。フレーム２とこの雪留板４の固定はネジ止めが好適であるが、可能ならば一体成形してもよいし、又、熔接でもよい。
【００１４】
前記瓦頭部引掛片５は、前記フレーム２の頭部側端部に下方向に固定されているが、この下方端には瓦Aの頭部Cの裏面に潜り込んで、すなわち前記隙間Dに挿入されて引掛かる引掛爪９が形成されている。又、この引掛爪９とフレーム２の頭部側端部との中間部分は、瓦Aの頭部端面Eにできるだけ当接しないように軒先側へ膨らんだ形状となっており、これによって、雪留金具１の取付時にフレーム２を瓦Aの尻部B方向へ押し込む際に中間部分が瓦Aの頭部端面Eに当たることなく押し込まれるようになっている。
【００１５】
上記構成からなるこの雪留金具1の使用について説明する。
瓦屋根葺き施工が終了している屋根にこの雪留金具１を取付けるには、図８に示すように、矢印イ方向に瓦尻部引掛片３の一端側を固定しているフレーム２の尻部側端部を２枚の瓦Aが重ね合って成形される隙間Dから差し込み挿入する。これによってその弾性力によって開いている瓦尻部引掛片５のフリーとなっている頭部端はフレーム２と密着しつつフレーム２の頭部側と共に挿入される。このとき、フレーム２の裏面は瓦Aの上面の上方に面しているが、差し込み挿入長さが瓦尻部引掛片５の長さを越えると、瓦尻部引掛片５のフリーとなっている頭部側端部が弾性力によって開く。そして瓦Aの尻部Ｂの端部裏面又は端面にそのフリーとなっている頭部側端部が引掛かるように雪留板４を手で掴みながらフレーム２を瓦Aの頭部側である矢符ロ方向へ引く。
【００１６】
この状態では瓦頭部引掛片５の引掛爪９は瓦Aの頭部端に位置しているので、瓦頭部引掛片５を手でもって軒先方向の矢符ハ方向へ引張ってから矢符ニ方向、すなわち瓦A方向へ押す。すると、図７に良く現れているように、引掛爪９が瓦Aの頭部側端の裏面とその下段の瓦Aの頭部側表面の隙間Dに潜り込んで係止される。同時に当接片８が瓦Aの表面に当接し必要以上に雪留板４が下方へ移動することなく所定の瓦A上面の位置で係止される。すなわち、当接片８と瓦頭部引掛片５の間隔距離は瓦Aの表面と頭部側裏面との距離にほぼ等しくなるように定められている。これによって、雪留金具１の取付作業が極めて簡単に完了する。
【００１７】
この取付完了した雪留金具１は、フレーム２の尻部側端が瓦尻部引掛片３によって瓦Aの尻部側に引掛かり、頭部側端が瓦頭部引掛片９によって瓦Aの頭部側に引掛かっているので、瓦Aを頭尻両側から挟むこととなり、外れる恐れはない。加えて、瓦尻部引掛片３は弾性体であるので、瓦Aの頭尻方向の長さが多少の不揃いがあってもフィットできる。
【００１８】
以上の説明においては、瓦Ａが敷設された屋根面へ雪留金具１を取付ける使用についてのみ説明したが、これに限定されることなく、図５に示すように、瓦Aを葺く時に同時に取付けることも可能である。
【産業上の利用可能性】
【００１９】
この発明の雪留金具は、和瓦のみならず扁平洋瓦など種類を問わずに利用できる。
【図面の簡単な説明】
【００２０】
【図１】雪留金具の実施形態の全体斜視図。
【図２】図１の正面図。
【図３】図１の平面図。
【図４】図１の側面図。
【図５】雪留金具を瓦に取付けた状態で上方の瓦をまだ葺いていない斜視図。
【図６】雪留金具を瓦に取付けた状態の斜視図。
【図７】図６の断面説明図。
【図８】雪留金具の取付順説明図。
【図９】従来の雪留金具の斜視図。
【符号の説明】
【００２１】
１    雪留金具
２    フレーム
３    瓦尻部引掛片
４    雪留板
５    瓦頭部引掛片
７    ストッパー
９    引掛爪
【図１】
2008025185.tif 000003
【図２】
2008025185.tif 000004
【図３】
2008025185.tif 000005
【図４】
2008025185.tif 000006
【図５】
2008025185.tif 000007
【図６】
2008025185.tif 000008
【図７】
2008025185.tif 000009
【図８】
2008025185.tif 000010
【図９】
2008025185.tif 000011